(57)【要約】【課題】  レンズユニットとカメラ本体とから構成される撮影装置において、プログラムの修正をより容易に行うことが可能な撮影装置を提供する。【解決手段】  デジタルカメラ２は、撮影レンズ４、ＣＣＤイメージセンサ３９、データメモリ４２が設けられたレンズユニット２２と、信号処理回路６５、制御部６７，リード部６８、ＲＯＭ７０、ＳＤＲＡＭ７３が設けられたカメラ本体とからなる。データメモリ４２にはレンズユニット２２のスペック情報が記憶されている。レンズユニット２２がカメラ本体２３にマウントされると、検知信号がリード部６８に入力され、リード部６８はデータメモリ４２に記憶されたスペック情報の読み出しを開始する。スペック情報はＲＡＭ７１に記憶され、制御部６７はＲＡＭ７１に記憶されたデータを基に各種設定を行い、ＣＣＤイメージセンサ３９、レンズモータ５３、アイリスモータ５５の駆動が可能となる。【選択図】        図５
2006013579.tif 000002
【特許請求の範囲】
【請求項１】
撮影レンズによって結像される被写体像を基にして画像信号を出力する撮像素子を有する撮影装置において、
前記撮影レンズと前記撮像素子とを備えたレンズユニットと、
前記レンズユニットを着脱自在に取り付け可能なマウント部と、前記マウント部に装着された前記レンズユニットから入力される画像信号を基にして被写体の画像データを形成する信号処理手段とを備えたカメラ本体とから構成されており、
前記レンズユニットには、前記レンズユニットの固有なデータを記憶したデータ記憶手段と、前記データ記憶手段に記憶されたデータを外部に出力するための第１コネクタとが設けられ、
前記カメラ本体には、前記第１コネクタに接続される第２コネクタと、前記レンズユニットが前記マウント部に装着された際に前記第２コネクタを介して前記データ記憶手段からデータを読み出すリード手段と、前記リード手段によって読み出されたデータを基にして前記レンズユニットと前記カメラ本体とのうち少なくともどちらか一方を制御する制御手段とが設けられていることを特徴とする撮影装置。
【請求項２】
前記レンズユニットの固有なデータとして、前記撮影レンズと前記撮像素子とのうちの少なくともどちらか一方のスペックに関するスペック情報が記憶されており、前記制御手段は前記スペック情報を基にして前記レンズユニットと前記カメラ本体とのうち少なくともどちらか一方を制御することを特徴とする請求項１に記載の撮影装置。
【請求項３】
前記レンズユニットが前記マウント部に装着されたか否かを検知する検知手段を前記カメラ本体に備え、前記マウント部に前記レンズユニットが装着されたことを前記検知手段が検知したことに応じて、前記リード手段は前記データ記憶手段からのデータの読み出しを開始することを特徴とする請求項１または２に記載の撮影装置。
【発明の詳細な説明】
【技術分野】
【０００１】
本発明は、デジタルカメラ等の撮影装置に関するものである。
【背景技術】
【０００２】
近年、デジタルカメラ等の撮影装置が急速に普及している。撮影装置には画像信号を出力するＣＣＤイメージセンサ等の撮像素子が備えられ、撮像素子から出力される画像信号を基に被写体の画像データを形成し、形成された画像データは撮影装置に装着された記録メディアに記録される。撮影装置には、被写体を撮影するカメラモードと、記録メディアに記録された画像データをデジタルカメラに備えられた表示画面に表示する再生モード等とを切り替えるスイッチが設けられ、ユーザーはこのスイッチを切り替えて目的に応じて撮影装置を使用する。
【０００３】
現在、撮影装置は小型化や利便性の追求が進んでおり、小型化や高い利便性を実現するために様々な工夫がなされている。例えば、電力供給用のバッテリーとして薄型の直方体形状をした充電電池を用いて薄型化を実現したものや、ズームレンズの光学系を屈曲させることで、ズーム操作した場合でもズームレンズを保持するレンズ鏡筒が撮影装置の筐体から飛び出すことがないようにしたものもある。特に、撮影レンズを有するレンズユニットと、撮影レンズによって結ばれる像を基にして画像信号を出力する撮像素子と、撮像素子からの画像信号を処理して画像データを形成する信号処理回路とを有するカメラ本体とから構成される撮影装置では、レンズユニットを交換することで手軽に高画質な画像を取得することができる。特許文献１では、撮影レンズ、画像信号を出力する画像センサー、画像センサーからの画像信号を処理する信号処理回路、画像信号を外部に出力するためのコネクタを有するカメラユニットに、画像信号を記憶するメモリユニットを装着することができる撮影装置が示されている。
【０００４】
【特許文献１】特開平８−２９４０３１号公報
【発明の開示】
【発明が解決しようとする課題】
【０００５】
ところで、撮影装置が、撮影レンズと撮像素子とを有するレンズユニットと、撮像素子から出力される画像信号を処理して画像データを形成するカメラ本体とから構成された撮影装置がすでに考案されている。自在に交換が可能なレンズユニットにはレンズユニットを制御するためのプログラムを記憶した不揮発性のメモリが設けられ、カメラ本体には、メモリからプログラムを読み出す読み出し手段と、読み出し手段によって読み出されたプログラムを基にしてレンズユニットを制御する制御手段とが設けられ、レンズユニットがカメラ本体に装着された後、レンズユニットからカメラ本体にデータ及びプログラムが読み出されて記憶され、この記憶されたデータ及びプログラムを基にしてレンズユニットを制御するため、撮影レンズと撮像素子との組み合せを自由に決めることができ、このため高品質なレンズユニットの設計が容易になり、レンズユニットのバリエーションも豊富にすることができた。
【０００６】
しかしながら、レンズユニットにレンズユニットを制御するためのプログラムを記憶したメモリを設けると、レンズユニットをカメラ本体に装着した際には必ずレンズユニットに備えられたメモリからプログラムをカメラ本体に読み出さなければならず、例えば、レンズユニットに設けられたフォーカスモータやズームモータ等の駆動の制御が複雑な場合にはプログラムが大きなものとなってレンズユニットからカメラ本体へのプログラムの転送に時間がかかる場合があり、このためレンズユニットをカメラ本体に装着してから撮影が可能となるまでに時間を要してしまい、ユーザがシャッターチャンスを逃してしまうことがあった。
【０００７】
本発明は上記の事情に鑑みてなされたものであり、その目的は、撮影レンズとＣＣＤイメージセンサとを有するレンズユニットとレンズユニットの動作を制御するカメラ本体とから構成され、かつ高品質なレンズユニットの設計を容易にしながら、レンズユニットをカメラ本体に取り付けてからより短時間で撮影の開始が可能となる撮影装置を提供することにある。
【課題を解決するための手段】
【０００８】
上記の目的を達成するために、本発明の撮影装置は、撮影レンズによって結像される被写体像を基にして画像信号を出力する撮像素子を有した撮影装置において、撮影レンズと撮像素子とを備えたレンズユニットと、レンズユニットを着脱自在に取り付け可能なマウント部と、マウント部に装着されたレンズユニットから入力される画像信\\号を基にし￥て画像データを形成する信号処理手段とを備えたカメラ本体とから構成されている。さらに、レンズユニットには、レンズユニットの固有なデータを記憶したデータ記憶手段と、データ記憶手段に記憶されたデータを外部に出力するための第１コネクタとが設けられ、カメラ本体には、第１コネクタに接続される第２コネクタと、レンズユニットの装着時に第２コネクタを介してデータ記憶手段からデータを読み出すリード手段と、リード手段によって読み出されたデータを基にして、レンズユニットとカメラ本体とのうち少なくともどちらか一方を制御する制御手段とが設けられたことを特徴とする。
【０００９】
また、レンズユニットの固有なデータとして、撮影レンズと撮像素子とのうち少なくともどちらか一方のスペックに関するスペック情報が記憶されており、制御手段はスペック情報を基にして、レンズユニットとカメラ本体とのうち少なくともどちらか一方を制御することを特徴とする。なお、スペック情報には、レンズユニット２２の型式を示す形式情報、レンズユニット２２のシリアルナンバーを示すシリアルナンバー情報、撮影レンズ４のＦ値を示すＦ値情報、撮影レンズの倍率を示す倍率情報、撮影レンズの焦点距離を示す焦点距離情報、ＣＣＤイメージセンサ等の撮像素子の縦横の画素数を示す画素情報、撮像素子に設けられたカラーフィルタに関連したフィルタ情報、撮像素子の感度に関する感度情報、撮像素子の欠陥画素に関する欠陥画素情報、撮像素子を駆動させるために必要な撮像素子駆動情報、撮影レンズを光軸方向へ移動させるモータの回転速度情報、アイリスを駆動させるモータの回転速度情報、シャッタを駆動させるモータの回転速度情報、画像に含まれるシェーディングを補正するためのシェーディング補正データ、画像の色調を補正するための色調補正データなどがある。
【００１０】
また、レンズユニットがマウント部に装着されたか否かを検知する検知手段をカメラ本体に備え、マウント部にレンズユニットが装着されたことを検知手段が検知したことに応じて、リード手段は前記データ記憶手段からのデータの読み出しを開始することを特徴とする。
【発明の効果】
【００１１】
本発明の撮影装置によれば、撮影レンズと撮像素子とを備えたレンズユニットと、レンズユニットを着脱自在に取り付け可能なマウント部と、マウント部に装着されたレンズユニットから入力される画像信号を基にして画像データを形成する信号処理手段とを備えたカメラ本体とから構成され、レンズユニットに、レンズユニットの固有なデータを記憶したデータ記憶手段と、データ記憶手段に記憶されたデータを外部に出力するための第１コネクタとが設けられ、カメラ本体に、第１コネクタに接続される第２コネクタと、レンズユニットの装着時に第２コネクタを介してデータ記憶手段からデータを読み出すリード手段と、リード手段によって読み出されたレンズユニットの固有なデータを基にしてレンズユニットとカメラ本体とのうち少なくともどちらか一方を制御する制御手段とが設けられたことことにより、レンズユニットをカメラ本体に装着すると、リード手段はデータ記憶手段に記憶されたレンズユニットに固有のデータを読み出し、制御手段はリード手段によって読み出されたデータを基にしてレンズユニットとカメラ本体とのうち少なくともどちらか一方を制御するため、交換自在であって高品質なレンズユニットの設計を容易にしながら、レンズユニットをカメラ本体に取り付けてからより短時間で撮影の開始が可能となる撮影装置を提供することができる。
【００１２】
また、レンズユニットの固有なデータとして、撮影レンズと撮像素子とのうちの少なくともどちらか一方のスペックに関するスペック情報が含まれており、制御手段はスペック情報を基にしてレンズユニットとカメラ本体とのうち少なくともどちらか一方を制御するため、制御手段はスペック情報を基にしてより精密な制御を行うことができ、利便性の高い撮影装置を提供することができる。特に、スペック情報として、レンズユニット２２の型式を示す形式情報、レンズユニット２２のシリアルナンバーを示すシリアルナンバー情報、撮影レンズ４のＦ値を示すＦ値情報、撮影レンズの倍率を示す倍率情報、撮影レンズの焦点距離を示す焦点距離情報、ＣＣＤイメージセンサ等の撮像素子の縦横の画素数を示す画素情報、撮像素子に設けられたカラーフィルタに関連したフィルタ情報、撮像素子の感度に関する感度情報、撮像素子の欠陥画素に関する欠陥画素情報、撮像素子を駆動させるために必要な撮像素子駆動情報、撮影レンズを光軸方向へ移動させるモータの回転速度情報、アイリスを駆動させるモータの回転速度情報、シャッタを駆動させるモータの回転速度情報、画像に含まれるシェーディングを補正するためのシェーディング補正データ、画像の色調を補正するための色調補正データ等をデータ記憶手段に記憶させることで、レンズユニットとカメラ本体とのうち少なくともどちらか一方をより精密に制御することができる。
【００１３】
また、レンズユニットがマウント部に装着されたか否かを検知する検知手段をカメラ本体に備え、マウント部にレンズユニットが装着されたことを検知手段が検知したことに応じて、リード手段はデータ記憶手段からのデータの読み出しを開始することにより、レンズユニットがマウント部に装着された際、リード手段は確実にデータ記憶手段からデータを読み出すことができ、より利便性の高い撮影装置を提供することができる。
【発明を実施するための最良の形態】
【００１４】
図１に本発明のデジタルカメラの外観斜視図を示す。デジタルカメラ２の前面には被写体像を結像する撮影レンズ４が設けられ、デジタルカメラ２の上部には、押圧操作に応じて撮影を開始させるシャッターボタン６、デジタルカメラ２の設定等を簡易表示する上部表示パネル８、晴天、曇り、屋内などの外部環境に応じて露出動作を設定するための露出モードダイヤル１０等が設けられている。なお、図示しないが、デジタルカメラの側部には、ＵＳＢポート、ＩＥＥＥ１３９４ポート、ビデオ端子等が備えられている。
【００１５】
デジタルカメラ２の背面を観察した斜視図を図２に示す。デジタルカメラ２の背面には、被写体のフレーム内の位置を確認する際に覗き込むファインダ接眼窓１２、被写体のスルー画像やメニュー画像を表示する液晶パネル（以降、ＬＣＤと言う）１４、ＬＣＤ１４のＯＮ／ＯＦＦを切り替えるためのＬＣＤ表示ボタン１５、ＬＣＤ１４に表示されたメニュー画像の中から適当な項目を選択する際に操作される十字操作ボタン１７、選択された項目を実行する際に押圧操作される実行ボタン１９、選択操作や実行操作を取り消すキャンセルボタン２０等が備えられている。
【００１６】
図３に示すように、デジタルカメラ２はレンズユニット２２と、カメラ本体２３とから構成される。レンズユニット２２の外形は柱状に形成され、その一端からは撮影レンズ４が露呈し、その内部にはＣＣＤイメージセンサ等が組み込まれている。レンズユニット２２の他端にはカメラ本体２３と組み合わさるための接続部２２ａが形成されている。カメラ本体２３にはレンズユニット２２に形成された接続部２２ａを嵌め込むためのマウント部２３ａが形成されている。マウント部２３ａの近くにはレンズユニット２２をカメラ本体２３から取り外す際に押圧操作されるマウント解除ボタン２７が設けられており、マウント解除ボタン２７を押すことでレンズユニット２２がマウント部２３ａから取り外すことが可能となる。
【００１７】
図４にレンズユニット２２、及びカメラ本体２３のマウント部２３ａの周囲を光軸方向に沿って縦に切断した断面図を示す。レンズユニット２２の外側は外装カバー３０で覆われており、外装カバー３０の外周には後述する突起３２と係合するノッチ３５が形成され、外装カバーの３０内側には、撮影レンズ４を保持したレンズ保持枠３６を光軸方向に移動可能に保持するレンズ鏡筒３７、オプティカルローパスフィルタ（以降、Ｏ−ＬＰＦと言う）３８、メカシャッタ４１、ＣＣＤイメージセンサ３９が組み付けられた副回路基板４０、データメモリ（データ記憶手段）４２や第１コネクタ４３等が設けられた主回路基板等４５が組み込まれている。撮影レンズ４の像面側には、入射光量を調節するアイリス４７、メカシャッタ４１、撮影レンズ４から入射する光のうち、高周波成分をカットするＯ−ＬＰＦ３８、ＣＣＤイメージセンサ３９の順に配置されている。レンズ保持枠３６を移動させるレンズモータ、アイリスの動作を調節するアイリスモータは、それぞれパルス信号の入力に応じて所定の角度だけ回動するステッピングモータであり、レンズモータ及びアイリスモータはそれぞれモータコントローラによって駆動が制御されている。ＣＣＤイメージセンサ３９は、例えば縦７２０画素で横が９６０画素からなっており、撮影レンズ４の有する光軸と垂直に配置され、ＣＣＤイメージセンサ３９が設けられた副回路基板４０は主回路基板４５とフレキシブル回路基板５０を介して接続されている。主回路基板４５にはデータメモリ４２のほか、レンズモータやアイリスモータの駆動を制御するモータコントローラが設けられている。なお、ＣＣＤイメージセンサは縦７２０画素、横９６０画素のものに限らず、より画素数の多いものやより画素数の少ないものを用いてもかまわない。
【００１８】
カメラ本体２３にはレンズユニット２２の接続部２２ａを嵌め込んで保持するマウント部２３ａが形成され、このマウント部２３ａにはレンズユニット２２の主回路基板４５に設けられた第１コネクタ４３に嵌め込まれる第２コネクタ５２と、レンズユニット２２の外装カバー３０に形成されたノッチ３５に係合する突起３２とが設けられている。レンズユニット２２の接続部２２ａがカメラ本体２３のマウント部２３ａに嵌め込まれる際、第２コネクタ５２が第１コネクタ４３に嵌め込まれて第１コネクタ４３と第２コネクタ５２とが電気的に接続され、外装カバー３０の外周に形成されたフランジ部３０ａがマウント部２３ａの周囲に当接するまで接続部２２ａがマウント部２３ａにはめ込まれると突起３２がノッチ３５に係合し、レンズユニット２２がカメラ本体２３に保持される。レンズユニット２２をカメラ本体２３から取り外す場合には、マウント解除ボタン２７押しながらレンズユニット２２をカメラ本体２３から引き抜く。マウント解除ボタン２７が押されると突出していた突起３２が引っ込んでノッチ３５に係らなくなり、このためマウント部２３ａからのレンズユニット２２の引き抜きが可能となる。
【００１９】
図５にデジタルカメラのブロック図を示す。レンズユニット２２には、撮影レンズ４、撮影レンズ４を保持する保持枠３６を光軸方向に移動させるレンズモータ５３の駆動を制御するレンズモータコントローラ５４、アイリス４７、アイリス４７を動作させるアイリスモータ５５の駆動を制御するアイリスモータコントローラ５６、メカシャッタ４１の動作させるシャッタモータ５８の駆動を制御するシャッターモータコントローラ５９、ＣＣＤイメージセンサ３９の駆動を制御するためのＣＣＤドライバ５７、データメモリ４２等が備えられている。撮影レンズ４からの光を光電変換によって電気的な画像信号として出力するＣＣＤイメージセンサ３９はＣＣＤドライバ５７から供給される駆動パルスによって駆動が制御される。データメモリ４２は、不揮発性のメモリであるＥＥＰＲＯＭ（Electrically Erasable Programmable ROM）で構成され、レンズユニット２２の固有なデータとしてレンズユニット２２のスペック情報が記憶されている。データメモリ４２には、スペック情報として、レンズユニット２２の型式を示す形式情報、レンズユニット２２のシリアルナンバーを示すシリアルナンバー情報、撮影レンズ４のＦ値を示すＦ値情報、撮影レンズの倍率を示す倍率情報、撮影レンズの焦点距離を示す焦点距離情報、ＣＣＤイメージセンサ３９の縦横の画素数を示す画素情報、ＣＣＤイメージセンサ３９に設けられたカラーフィルタに関連したフィルタ情報、ＣＣＤイメージセンサ３９の感度に関する感度情報、ＣＣＤイメージセンサ３９の欠陥画素に関する欠陥画素情報、ＣＣＤイメージセンサ３９を駆動させるために必要なＣＣＤ駆動情報、レンズモータ５３の回転速度情報、アイリスモータ５５の回転速度情報、シャッタモータの回転速度情報、画像に含まれるシェーディングを補正するためのシェーディング補正データ、画像の色調を補正するための色調補正データなどが記憶されている。
【００２０】
カメラ本体２３には、タイミングジェネレータ６３、信号処理部（信号処理手段）６５、制御手段である制御部６７、リード手段であるリード部６８、検知手段であるマウント検知部６９、ＲＯＭ７０、圧縮処理部７２、ＳＤＲＡＭ７３、メディアコントローラ７５、ＬＣＤコントローラ７６、画像処理部８０、画像補正部８１等が備えられている。タイミングジェネレータ６３はＣＣＤイメージセンサ３９に規則的に配列されたフォトダイオード部から出力される電荷を転送させるために必要な駆動パルスを生成し、生成した駆動パルスをＣＣＤドライバ５７に入力する。ＣＣＤドライバ５７はＣＣＤイメージセンサ３９と接続されてタイミングジェネレータ６３から供給される駆動パルスを適宜ＣＣＤイメージセンサ３９に入力しており、ＣＣＤイメージセンサ３９はＣＣＤドライバ５７から入力される駆動パルスに応じて画像信号を出力する。
【００２１】
信号処理部６５には、相関二重サンプリング回路、増幅回路、Ａ／Ｄ変換回路等が含まれており、第１、第２コネクタ４３、５２を介して画像信号が入力される。相関二重サンプリング回路で画像信号がＣＣＤイメージセンサ３９の各セルごとのＲＧＢアナログ信号に変換され、ＲＧＢアナログ信号は増幅回路で増幅され、Ａ／Ｄ変換回路でデジタル変換されて画像データが形成される。
【００２２】
画像処理部８０は画像データのホワイトバランス、シャープネス、コントラスト等の補正を行う。ＲＯＭ７０は不揮発性のフラッシュメモリで構成され、デジタルカメラ２の動作を制御するための各種プログラムが格納されており、制御部６７は適宜ＲＯＭ７０から適当なプログラムを読み出して実行する。なお、制御部６７は、記録メディア８２に画像データを書き込むメディアコントローラ７５の制御、ＬＣＤ１４の駆動させるＬＣＤコントローラ７６の制御等も行う。
【００２３】
ＳＤＲＡＭ７３は信号処理回路６５によって形成された画像データや、画像処理部８０によって画像処理が行われた画像データを一時的に記憶する。信号処理回路６５で形成された画像データはＳＤＲＡＭ７３に入力され、次いで画像処理部８０に送出され、ホワイトバランス、シャープネス、コントラスト等の各種画像処理が行われる。画像処理部８０によって画像処理が行われた画像データはＳＤＲＡＭ７３に一時的に記憶される。
【００２４】
圧縮処理部７２では、画像処理部８０で画像処理されてＳＤＲＡＭ７３に蓄積された画像データを、例えばＪＰＥＧ（ Joint Photographic Experts Group ) の規格に準拠して圧縮する。圧縮された画像データは所定のフォーマット、例えば、ＤＣＦ（ Dsign rule for Camera File system）に則って画像ファイルが形成されてＳＤＲＡＭ７３に記憶される。また、圧縮処理部７２は、記録メディア８２に記録された画像データを圧縮処理してサムネイル画像データを形成する機能を有しており、記録メディア８２から読み出された画像データを予め決められた方式に従って所定のサイズに圧縮してサムネイル画像データが形成され、形成された画像データがＬＣＤコントローラ７６を介してＬＣＤ１４に入力されるとＬＣＤ１４にはサムネイル画像が表示される。
【００２５】
メディアコントローラ７５は、図示しないカードスロットに差し込まれた記録メディア８２への画像データの書き込み、及び記録メディア８２からの画像データの読み出しを行う。ＳＤＲＡＭ７３に記憶された画像ファイルは、ユーザの操作に応じてメディアコントローラ７５によって読み出されて記録メディア８２に書き込まれる。サムネイル画像をＬＣＤ１４に表示する場合は、記録メディア８２に記録された画像ファイルがメディアコントローラ７５によって読み出され、読み出された画像ファイル内の画像データを基に圧縮処理回路７２でサムネイル画像データが形成される。外部インターフェース８４は、ＵＳＢポートやＩＥＥＥ１３９４ポート等を有しており、外部とデータをやり取りするデータ通信を可能にする。
【００２６】
ＬＣＤ１４にはユーザの操作に応じて様々な画像が表示される。モード切り替えスイッチの操作によってデジタルカメラ２が静止画撮影モードに設定された場合には、現在の被写体の画像を所定のフレームレートで表示するスルー画像が表示され、ユーザはスルー画像を見ながら撮影を行うことができる。デジタルカメラ２が再生モードに設定された場合には、記録メディア８２から画像データが読み出され、この画像データを基に画像が表示される。
【００２７】
マウント検知部６９は、突起３２の位置を基に、突起３２がノッチ３５に係合しているか否かを検知しており、マウント検知部６９が突起３２の位置を基に先端がノッチ３５に係合していることを検知した場合には、検知信号をリード部６８に入力する。
【００２８】
リード部６８は、データメモリ４２にアクセスしてデータを読み出し、読み出したデータをＲＡＭ７１に記憶する。例えば、レンズユニット２２がカメラ本体２３に装着されると、検知信号がマウント検知部６９からリード部６８に入力され、これに応じてリード部６８はデータメモリ４２から、レンズユニットの型式、シリアルナンバー、撮影レンズ４のＦ値、撮影レンズ４の焦点距離、撮影レンズ４の倍率、ＣＣＤイメージセンサ３９の画素数、ＣＣＤイメージセンサ３９の感度、ＣＣＤイメージセンサ３９の欠陥画素情報、レンズモータ５３の回転速度、アイリスモータ５５の回転速度、シェーディングデータ、色調補正データなどのスペック情報を読み出す。リード部６８によって読み出されたスペック情報はＲＯＭ７１に書き込まれる。なお、リード部６８はデータメモリ４２に記憶されたデータを全て読み出したか否かを監視しており、データメモリ４２内の全てのデータの読み出しに応じて動作を終了する。
【００２９】
ＲＡＭ７１に書き込まれたレンズユニット２２のスペック情報は制御部６７に入力され、制御部６７はそれぞれのスペック情報を基にして設定を行う。例えば、撮影レンズ４のＦ値、焦点距離、倍率、レンズモータ５３の回転速度、アイリスモータ４７の回転速度などのスペック情報は，ＡＦ（Auto Focus）やＡＥ（Auto Exposure ）等のアルゴリズムのパラメータ値として設定され、ＣＣＤイメージセンサ３９の画素数、感度、欠陥画素情報などのスペック情報を基にしてタイミングジェネレータ６３や信号処理部６５の設定時に使用される。さらに色調補正データやシェーディング補正データを基に画像補正部８１の設定がおこなわれ、画像の色調やシェーディングの補正が可能となる。
【００３０】
制御部６７によって設定が行われた後は、タイミングジェネレータ６３はＣＣＤイメージセンサ３９の駆動に必要な駆動パルスを生成してＣＣＤドライバ５７に送出することが可能となり、ＣＣＤドライバ５７は駆動パルスを適宜ＣＣＤイメージセンサ３９に入力してＣＣＤイメージセンサ３９に画像信号を出力させる。制御部６７はレンズモータ５３を駆動させるためのクロック信号等を含む動作信号をレンズモータコントローラ５４に入力し、レンズモータコントローラ５４は動作信号に基づき、レンズモータ５３を駆動させるための駆動パルスを生成してレンズモータ５３に入力する。レンズモータコントローラ５４から供給される駆動パルスに応じてレンズモータ５３は駆動し、撮影レンズ４が光軸に沿って移動する。制御部６７は制御プログラムに従ってアイリスモータ５５を駆動させるための動作信号をアイリスモータコントローラ５６に送り、アイリスモータコントローラ５６は動作信号に基づいて駆動パルスをアイリスモータ５５に供給し、これによりアイリスモータ５５が駆動してアイリス４７が作動する。シャッタモータコントローラ５８は制御部６７から入力される動作信号を受けてシャッタモータ４１に駆動パルスを入力し、シャッタモータは駆動パルスに基づいて駆動してメカシャッタ４１が作動する。制御部６７によって設定がなされた画像補正部８１は、画像データのＲＧＢ値を変更して画像の色調や画像の周辺部が中心部よりも暗くなるシェーディング等を補正する。
【００３１】
図６に本発明を説明するためのフローチャートを示す。レンズユニット２２がマウント部２３ａに装着されると、マウント検知部６９によってレンズユニット２２がマウント部２３ａに装着されたことが検知され、マウント検知部６９からリード部６８に検知信号が入力される。検知信号の入力に応じて、リード部６８はデータメモリ４２からのデータの読み出しを開始する。データメモリ４２から読み出されたレンズユニット２２のスペック情報はＲＡＭ７１に書き込まれる。
【００３２】
制御部６７はレンズユニット２２のスペック情報を基にタイミングジェネレータ６３や信号処理部６５の設定を行う。また、レンズユニット２２のスペック情報を基にレンズモータ５３を駆動させるための動作信号、アイリスモータ５５を駆動させるための動作信号をレンズモータコントローラ５４やアイリスモータコントローラ５６に入力する。タイミングジェネレータ６３は駆動パルスをＣＣＤドライバに入力し、ＣＣＤドライバは駆動パルスを適宜ＣＣＤイメージセンサに送出してＣＣＤイメージセンサ３９を駆動させる。ＣＣＤイメージセンサ３９から出力された画像信号は第１、第２コネクタ４３、５２を介して信号処理部６５に入力される。各モータコントローラ５４、５６は、それぞれ動作信号を基に駆動パルスをレンズモータ５３、アイリスモータ５５に入力してレンズモータ５３、アイリスモータ５５を駆動させる。
【００３３】
ユーザによってシャッタボタン６が押された場合には、ＣＣＤイメージセンサ３９から出力された画像信号の処理が開始され、相関二重サンプリング回路、増幅回路、Ａ／Ｄ変換回路によって処理されて画像データが形成される。形成された画像データは一時的にＳＤＲＡＭ７３に記憶される。ＳＤＲＡＭ７３に記憶された画像データは、圧縮処理部７２でＪＰＥＧ規格に従って所定の画質に圧縮され、メディアコントローラ７５を介して記録メディア８２に記録される。
【００３４】
なお、上記の実施形態では、突起３２がノッチ３５に係合しているか否かを突起３２の位置を基にマウント検知部６９が検知し、突起３２がノッチ３５に係合している場合には，マウント検知部６９はリード部６８に検知信号を入力し、検知信号の入力に応じてリード部６８はデータメモリ４２からデータの読み出しを開始したが、レンズユニット２２がマウント部２３ａに装着されているか否かを検知する方法はこれに限らない。例えば、カメラ本体に形成されたマウント部の周囲に、レンズユニットのフランジによって押圧されるスイッチを設け、レンズユニットがカメラ本体にマウントされることに応じてＯＮ信号をリード部に入力し、リード部はＯＮ信号の入力に応じてデータメモリからデータを読み出すようにしてもよい。このような方法によってレンズユニットの装着を検知した場合でも、確実にデータメモリからデータを読み出すことができる。
【００３５】
また、上記の実施形態ではレンズユニットに備えられた撮影レンズは光軸方向に移動して焦点を合わせるタイプのレンズであったが、撮影レンズは複数から構成される変倍可能なズームレンズであっても構わない。図７にデジタルカメラの電気的な構成を概略的に示したブロック図を示す。レンズユニット２２にはズーム動作が可能な撮影レンズ８９が備えられ、さらに、ズーミング時に駆動するズームモータ９０、ピントを合わせる際に駆動するフォーカスモータ９１とが備えられている。ズームモータ９０とフォーカスモータ９１とは、それぞれ、ズームモータコントローラ９４、フォーカスモータコントローラ９５から供給される駆動パルスによって駆動する。ＣＣＤイメージセンサ９６は縦９６０画素、横１２８０画素からなり、撮影レンズ８９に対応するサイズとなっている。データメモリ９８には、撮影レンズ８９のズーム倍率、Ｆ値、焦点距離、等の撮影レンズ４のスペック情報、及びＣＣＤイメージセンサ９６の画素数、感度、カラーフィルタに関するフィルタ情報、欠陥画素情報などのＣＣＤイメージセンサ９６のスペック情報が記憶されている。なお、ＣＣＤイメージセンサ９３は３倍のズームレンズに対応して縦９６０画素、横１２８０画素のサイズのものを用いたが、ＣＣＤイメージセンサのサイズはこれに限らず、例えば５倍のズームレンズをレンズ鏡筒に組み込む場合には縦１９２０画素、横２５６０画素のサイズのＣＣＤイメージセンサを用いるなど、撮影レンズに適するＣＣＤイメージセンサを予め組み込むことで、より高性能なレンズユニットを提供できる。
【００３６】
また、上記の実施形態では、レンズユニットのデータメモリに記憶された撮影レンズのスペック情報やＣＣＤイメージセンサのスペック情報などを基にして、レンズユニットやカメラ本体を制御したが、レンズユニットやカメラ本体の制御方法はこれに限らない。例えば、データメモリにレンズユニットの固有なデータとして、レンズユニットを識別するための識別情報を予め記憶させておく。識別情報としては、例えば数ビットからなるバイナリデータ等を用いることでデータの転送時間を短縮できる。レンズユニットがカメラ本体に装着されると、データメモリから識別情報を読み出し、読み出した識別情報をＲＯＭに書き込む。カメラ本体に設けられたＲＯＭにはデジタルカメラ２の動作を制御するための各種プログラムが格納されており、制御部はＲＡＭに書き込まれたレンズユニットの識別情報を基にＲＯＭからレンズユニットを制御するための制御プログラムを読み出して実行する。このようにすることでレンズユニットをカメラ本体に装着してから撮影を開始するまでの時間の短縮化が期待できる。
【００３７】
また、上記の実施形態ではデジタルカメラを例示したが、本発明はこれに限らず、電話機能を有し、ＣＣＤイメージセンサからの画像信号を処理して画像データを形成するカメラ付き携帯電話に実施してもよい。図８に示すように、カメラ付き携帯電話１１０は通話機能を備えた通話器（カメラ本体）１１２と、通話器１１２に着脱自在に取り付け可能なレンズユニット１１４とからなる。レンズユニット１１４からは撮影レンズ１１６が露呈し、レンズユニット１１４の内部にはＣＣＤイメージセンサ（図示省略）や、撮影レンズ１１６やＣＣＤイメージセンサを含むレンズユニット１１４の固有なデータを記憶したＥＥＰＲＯＭ（データ記憶手段）が備えられる。通話器１１２の上部にはレンズユニット１１４に設けられた第１コネクタ（図示省略）に接続される第２コネクタ１１８が設けられ、通話器１１２の内部にはレンズユニットに設けられたＥＥＰＲＯＭから読み出されたデータを基にレンズユニット１１４を制御する制御部（図示省略）が設けられている。レンズユニット１１４が通話器１１２に装着されると、レンズユニット１１４に設けられたＥＥＰＲＯＭに記憶されたデータがカメラ本体１１２に備えられたＲＡＭに書き込まれ、ＲＡＭに書きこまれたデータを基にレンズユニット１１４の制御が実行される。このようにカメラ付き携帯電話に本発明を実施することにより、高品質な画像の取得を可能にするレンズユニットの設計を容易にしながら、かつ低コストなカメラ付き携帯電話を提供することができ、さらにレンズユニットを通話器に取り付けてからより短い時間で撮影の開始が可能なカメラ付き携帯電話を提供することができる。
【００３８】
また、上記の実施形態では、レンズユニットのデータメモリから読み出されたデータを基にして制御部はレンズユニット及びカメラ本体を制御したが、制御部が制御する対象はカメラ本体のみでも構わない。例えば、近くから遠くまでピントが合うパンフォーカスレンズを備えたレンズユニットがカメラ本体に装着され、これに応じてデータメモリからスペック情報がカメラ本体のＳＤＲＡＭに読み出される。シャッタボタンがユーザによって押されると制御部はスペック情報を基にタイミングジェネレータに駆動信号を送出する。タイミングジェネレータは駆動信号の入力に応じて駆動パルスをＣＣＤドライバに入力し、ＣＣＤイメージセンサはＣＣＤドライバから入力される駆動パルスに応じて画像信号を出力する。このときレンズユニットに設けられたメカシャッター、アイリスは動作させず、ＣＣＤイメージセンサの駆動時間を調節する電子シャッタ機能を利用して画像信号が出力される。信号処理部では画像信号を処理して画像データを形成し、画像補正部では色調補正データやシェーディング補正データ等を基にして画像データを補正する。このように制御部がレンズユニットを制御することなく画像データを取得するようにしてもよい。また、デジタルカメラを手動設定したときであってそのうち特定の場合ではカメラ本体のみを制御して画像データを取得することができる。例えばＩＳＯ感度を手動設定した場合にＣＣＤイメージセンサの電子シャッタ機能でこれに対応し、デイライト撮影や屋内撮影などの撮影環境を手動設定した場合にこれに応じて画像補正部で画像データを補正することでカメラ本体のみを制御して画像データを取得することができる。このように制御部がカメラ本体のみを制御することで、デジタルカメラの消費電力の低減が期待できる。
【図面の簡単な説明】
【００３９】
【図１】本発明のデジタルカメラを前から観察した斜視図である。
【図２】デジタルカメラを後から観察した斜視図である。
【図３】カメラ本体からレンズユニットを分離したデジタルカメラの斜視図である。
【図４】レンズユニット、及びカメラ本体のマウントの周辺を撮影レンズの光軸に沿って縦に切断した断面図である。
【図５】レンズユニットとカメラ本体からなるデジタルカメラの電気的な構成を概略的に示したブロック図である。
【図６】本発明の作用を説明するフローチャートである。
【図７】ズームレンズを備えたデジタルカメラの電気的な構成を概略的に示したブロック図である。
【図８】通話機能を備えたカメラ本体と、このカメラ本体に着脱自在なレンズユニットとから構成される携帯電話の斜視図である。
【符号の説明】
【００４０】
２  デジタルカメラ（撮影装置）
４  撮影レンズ
２３  マウント部
３９  ＣＣＤイメージセンサ（撮像素子）
４２  データメモリ（データ記憶手段）
４３  第１コネクタ
５２  第２コネクタ
６５  信号処理部（信号処理手段）
６７  制御部（制御手段）
６８  リード部（リード手段）
６９  マウント検知部（検知手段）
【図１】
2006013579.tif 000003
【図２】
2006013579.tif 000004
【図３】
2006013579.tif 000005
【図４】
2006013579.tif 000006
【図５】
2006013579.tif 000007
【図６】
2006013579.tif 000008
【図７】
2006013579.tif 000009
【図８】
2006013579.tif 000010